(57)【要約】【課題】揺動することに特徴を有するペンダントなどの装身具を飾る装身具用の展示台基台を提供すること。【解決手段】装身具を飾る展示台を載置する載置テーブルの裏面に支持軸と接触ピンと係止片とばねとを取り付け、ハウジング内にブリッジされる支持支柱には軸孔と、駆動軸の側面に作動片を形成した駆動モータと、載置テーブルの回転を係止するストッパーとからなる揺動装置を収容し、駆動軸の回転により作動片を接触片に接触させて載置テーブルを回転する一方、作動片が離れるとばねの力で載置テーブルは元の位置に戻される。この往復運動により展示台に飾られた装身具を揺動する。【選択図】  図４
2005027837.tif 000002
【特許請求の範囲】
【請求項１】
装身具を展示する展示台を載置する載置テーブルと、該載置テーブルを回転させる駆動モータを内蔵した揺動装置と、該揺動装置を収容するハウジングとからなることを特徴とする装身具用展示台基台。
【請求項２】
前記ハウジングは、該ハウジング内に直径方向でブリッジされる支持支柱の上面中央には軸孔と、該支持支柱の下面に取り付けられる支持板上には駆動モータと、該駆動モータにより回転する駆動軸の側面には作動片と、前記載置テーブルの回転を係止するストッパーとを取り付けたものであることを特徴とする前記請求項１に記載の装身具用展示台基台。
【請求項３】
前記載置テーブルの裏面には中心に支持軸と、前記揺揺動装置の作動片と接触する接触ピンと、前記ストッパーに当接する係止片と、前記駆動モータによる載置テーブルの回転と逆方向に該載置テーブルを付勢するばねとを取り付けたものであることを特徴とする請求項１乃至２の１に記載の装身具用展示台基台。
【発明の詳細な説明】
【０００１】
【発明の属する技術分野】
本発明は、特にペンダントやイヤリングなどの装身具を飾る展示台を載置する展示台用基台に関し、特に宝石を取り付けた装飾部が揺れることで美しさを発揮できる展示台用基台に関する。
【０００２】
【従来の技術】
従来、ダイアモンドなどの宝石を取り付けた装身具を飾る展示台には多種多様のものが存在し、その形状も様々である。例えば、ペンダントを展示する展示台としては、人間の胸元そのままに近い立体状に形成されるものや、その曲線部のラインを模倣して板状に形成されたものが知られている（例えば、特許文献１参照）。
【０００３】
【特許文献１】実用新案登録第３０２５６６４号
【０００４】
一方、新しいタイプの装身具として、図１１及び図１２に示すようなペンダント６０が知られている。そのようなペンダント６０は、上方にチェーン連結部６３を有した台座６５の背面にテーパー状の定着部６４を形成し、前面には先端に吊下孔６８と後方に湾曲部７０を設けた吊下部６６を形成し、吊下孔６８には係止環７１により宝石７２を取付けた装飾片６２を揺動可能に吊下げたもので、装飾片６２が前後左右に揺れることにより、宝石７２が光を反射してペンダントをより美しく見せることができるものである。
【０００５】
しかし、従来からあるペンダント用の展示台にこのようなペンダント６０をそのまま展示しても、その首部分にチェーン６１を引っ掛け、ペンダント６０を静止した状態で吊り下げるに過ぎない。したがって、装飾片６２が揺動して宝石７２が光輝く美しさを発揮するという本製品の特徴を発揮することはできず、その魅力も半減され、ペンダント６０を購入しようとする需要者の注意を喚起し、その購買意欲を増進させるための展示をすることはできなかった。
【０００６】
【発明が解決しようとする課題】
そこで本発明は、このようなペンダントを従来からある展示台に飾る場合においても、その展示台を微妙に連続振動させることで、ペンダントの宝石が自然に揺動し、光輝く美しさとその製品特徴を十分に発揮することができる展示台用基台を提供することを目的とする。
【０００７】
【課題を解決するための手段】
本発明は上記課題を解決するための手段として、装身具を展示する展示台を載置する載置テーブルと、該載置テーブルを回転させる駆動モータを内蔵した揺動装置と、該揺動装置を収容するハウジングとからなることを特徴とする装身具用展示台基台であることを特徴とする。
【０００８】
また、本発明においては、前記ハウジングは、該ハウジング内に直径方向でブリッジされる支持支柱の上面中央には軸孔と、該支持支柱の下面に取り付けられる支持板上には駆動モータと、該駆動モータにより回転する駆動軸の側面には作動片と、前記載置テーブルの回転を係止するストッパーとを取り付けたものであることが好ましい。さらに、本発明においては、前記載置テーブルの裏面には中心に支持軸と、前記揺揺動装置の作動片と接触する接触ピンと、前記ストッパーに当接する係止片突起と、前記駆動モータによる載置テーブルの回転と逆方向に該載置テーブルを付勢するばねとを取り付けたものであることが好ましい。
【０００９】
したがって、連続的に載置テーブルを反復回転することで、展示台基台に載置された展示台に微細な振動を与え、展示台に飾られたペンダントなどの装飾部を揺動して美しく輝かせることができる。
【００１０】
【発明の実施の形態】
本発明の実施の形態を図面により説明すると、図１はペンダントを飾った展示台を載置した展示台基台を示す斜視図、図２は同側面図、図３はハウジングの平面図、図４はハウジングのＡ−Ａ‘線断面図、図５はそのＢ−Ｂ’線断面図、図６は載置テーブルの裏面図である。本発明に係る展示台基台１０は、揺動装置２５を収容したハウジング１１と、ハウジング１１上に揺動可能に取り付けられる載置テーブル３１とから構成される。
【００１１】
ハウジング１１は、上面が開放した略円筒体に支持支柱１２を直径方向にブリッジし、支持支柱１２の上面中央には軸孔１３を形成してあり、後記する載置テーブル３１の支持軸３３を軸支することができる。
【００１２】
揺動装置２５は、電源をＯＮ、ＯＦＦするスイッチ２２と、電源コードを挿入するコンセント２３と、電気的に接続された駆動モータ（図示せず。）とからなるもので、揺動装置２５は支持支柱１２の下面に取り付けられる角形状の支持板１５上に安定的に取り付けられている。駆動モータは、例えば、減速歯車を内蔵することで、低速回転する駆動軸２６と、さらに駆動軸２６の側面には所定の幅からなる作動片２７を取り付けてある。
【００１３】
２９はストッパーで、支持板１５上に軸ねじ２９ａと係止ねじ２９ｂとで枢動可能に取り付けられている。すなわち、ストッパー２９は、図９に示すごとく、係止ねじ２９ｂを緩めて軸ねじ２９ａを中心に枢動させると、載置テーブル３１の係止片３６の係止する位置を移動することができ、載置テーブル３１の回転幅を調節することができる。
【００１４】
したがって、展示台基台１０では、載置テーブル３１の回転による展示台５０に与える振動を大きくしたり小さくしたりする調節が可能で、飾られるペンダントなどの装身具の大きさや種類に合わせて揺動の大きさを自由に変えることができる。
【００１５】
なお、ハウジング１１の底板１８は、支持支柱１２のブリッジ両側に設けた係止ねじ（図示せず。）により、略円筒体と着脱可能とされており、揺動装置２５の修理などが必要な場合にも簡単に取り外すことができる。
【００１６】
一方、載置テーブル３１は、図６に示すごとく、裏面略中央に略長方形状で肉厚の安定板３２を取りつけ、その中心には支持軸３３とベアリングなどによる軸受部３４を取りつけてあり、載置テーブル３１はハウジング１１上でスムーズに回転することができる。
【００１７】
安定板３２には長手方向一側部に接触ピン３５と、さらには、接触ピン３５と直角方向に係止片３６が取付けられるが、接触ピン３５は安定板３２の厚みにより載置テーブル３１の裏面より遊離している。すなわち、図４及び図５に示すように、載置テーブル３１の支持軸３３がハウジング１１の軸孔１３に軸支された状態で、接触ピン２５は回転する駆動軸２６の作動片２７のみと接触し、一方で、係止片３６はストッパー２９及び支持支柱１２と当接する位置関係となる。
【００１８】
平面的な位置関係で述べれば、図３に示すように、接触ピン３５は揺動装置２５の駆動軸２６近傍に位置し、駆動軸２６に取付けられた作動片２７が回転するとその回転直径範囲内であるため、作動片２７と接触ピン３５は接触する。また、係止片３６は支持支柱１２とストッパー２９との間に位置し、係止片３６がストッパー２９に当接して載置テーブル３１が所定の回転幅で停止する一方、後記するようにばね３７で引っ張り戻される場合も、係止片３６が支持支柱１２と当接して所定の回転幅で停止する。
【００１９】
なお、接触ピン３５と係止片３６は、載置テーブル３１に安定板３２を介して強固に取り付けられているので、このような回転運動や係止運動が繰り返されても丈夫であり、展示台基台１０は長期間の使用に耐えることができる。
【００２０】
３７はばねで、ばね３７の一端は、載置テーブル３１の裏面に取り付けられており、その位置は、例えば、安定板３２の前記接触ピン３５と係止片３６が取り付けられた逆側の一端角部である。また、ばね３７の他端は、ハウジング内１１の支持支柱１２の側部に取り付けられる。したがって、ばね３７は載置テーブル３１の回転方向と逆方向に載置テーブル３１を付勢する。
【００２１】
なお、ばね３７に伸縮可能なコイルばねを使用することで、載置テーブル３１と支持支柱１２へそれぞれ取り付けた後であっても、載置テーブル３１の支持軸３３を揺動装置２１の軸孔１４に軸支する作業は容易である。
【００２２】
なお、５０は展示台基台１０に載置する展示台で、例えば、ペンダントやネックレスなどの首からかける装身具を飾るもので、ペンダント６０を飾ることもできる。
【００２３】
ペンダント６０は、例えば、金、銀、プラチナなどの貴金属を原材料として台座６５が形成され、また、装飾片６２には、例えば、ダイヤモンド、ルビー、エメラルドなどの宝石７２や合成宝石、イミテーション宝石が取り付けられる。ペンダント６０においては、装飾片６２が前後左右に揺れると、宝石７２は多くの反射光を生じて、宝石７２の美しさが発揮される点は前記した通りである。
【００２５】
すなわち、ペンダント６０においては、定着部６４が胸元の曲線に合わせて緩やかな曲線状に形成され、定着部６４と身につける人の胸元がぴったりと接触するため、装飾片６２が揺動してもペンダント６０自体が左右に捩れたり裏返ることはない。
【００２６】
また、吊下部６６は先端が最高位の高さになるように全体が隆起させて形成されているので、装飾片６２が吊下部６６に取付けられても定着部６４や人の胸元に当ることはなく自由に揺動することができる。
【００２７】
以下、本発明の実施の形態の作用について説明する。本発明に係る展示台基台１０を作動させる場合、一端を電源に接続した電源コード（図示せず）の他端を展示台基台１０のハウジング１１に設けたコンセント２３にあらかじめ連結しておく。
【００２８】
さらに、載置テーブル３１上に、例えば、前記したようなペンダント６０を飾った展示台５０を載置する。このペンダント６０を飾る場合、図１、２に示すごとく、展示台５０の胸元部５１にペンダント６０の定着部６４を当接させる。この状態において定着部６４と胸元部５１はぴったりと接触し、装飾片６２が揺動してもペンダント６０は左右に捩れたり裏返ることはない。
【００２９】
ハウジング１１に取付けたスイッチ２２をＯＮにすると、図７に示すように、駆動モータ２５に連動する駆動軸２６は、減速歯車などを介して低速回転を開始し、駆動軸２６に取付けた作動片２７が載置テーブル３１の接触ピン３５方向に回動する。
【００３０】
すると、図８に示すように、作動片２７が接触ピン３５の側面を擦るように接触し、載置テーブル３１をばね３７の引っ張り方向と反対方向に回転させる。
【００３１】
そして、図９に示すように、作動片２７が更に回転して接触ピン３５の側面から離脱すると、載置テーブル３１は、ばね３７の引っ張りによって元の位置に戻ろうと反転する。すると、載置テーブル３１は、係止片３６とストッパー２９に当接して急激に停止する。この急停止した微細な振動で、載置テーブル３１上に載置した展示台５０に飾られたペンダント６０の装飾片６２が揺動する。
【００３２】
このような揺動装置２１と載置テーブル３１の繰り返し動作により、載置テーブル３１は所定の回転幅で反復運動を連続するので、展示台５０に吊り下げられたペンダント６０の装飾片６２には断続的に微細な振動が与えられ、装飾片６２を左右方向または前後方向に大きく揺動させることができる。
【００３３】
このことにより、装飾片６２に取付けた宝石７２には異なる角度で連続的に光線が入射し、強い反射光を連続的に生じさせることができる。したがって、展示台５０に飾られたペンダント６０はきらきらと美しく輝くことができ、購買者の注意を喚起し、その購買意欲を増進させることができる。
【００３４】
また、本発明に係る展示台基台１０においては、図１０に示すように、ストッパー２９の停止位置を移動させることで、係止片３６の停止位置を変えることができる。したがって、載置テーブル３１の回転幅を変えることが可能で、例えば、０．３ＣＴのペンダントを飾る場合と１ＣＴのペンダントを飾る場合等、同一の展示台であってもペンダント６０の装飾片６２の大きさに対応して揺動の大きさを自由に調節することができる。
【００３５】
上記、本発明を説明したが、本発明は上記の実施形態に限定されず、種々変更して実施することが可能である。上記の実施形態においては、装飾片を吊り下げるペンダントを飾った展示台に使用する展示台基台についてのみ説明しているが、同様な形状を有するイヤリングや指輪の装身具を飾る展示台に使用する展示台基台に本発明を適用できることは当然である。
【００３６】
また、揺動装置において駆動軸に取り付けられる作動片は必ずしも一つではなく、複数の作動片を取り付けることで時間的により細かな揺動も可能となる。
【００３７】
【発明の効果】
本発明に係る展示台基台によれば、連続的に載置テーブルを反復回転して、載置した展示台に微細な振動を断続的に与え、展示台に飾るペンダントなどの装身具の宝石を大きく揺動して美しく光輝かせることができる。このことにより、需要者の購買意欲を喚起し、展示される装身具の商品価値を著しく高めることができる。
【図面の簡単な説明】
【図１】本発明に係る展示台基台に、ペンダントを飾った展示台を載置した状態の斜視図である。
【図２】本発明に係る展示台基台に、ペンダントを飾った展示台を載置した状態の側面図である。
【図３】本発明に係る展示台基台の中央縦断面図である。
【図４】図３のＡ―Ａ‘線断面図である。
【図５】図３のＢ―Ｂ‘線断面図である。
【図６】載置テーブルの裏面図である。
【図７】駆動軸の作動片が接触ピンに接触する前の状態を示す要部断面図である。
【図８】駆動軸の作動片が接触ピンに当接した状態を示す要部断面図である。
【図９】駆動軸の作動片が接触ピンを振り払った状態を示す要部断面図である。
【図１０】ストッパーの可動範囲と載置テーブルの回転範囲を示す要部断面図である。
【図１１】ペンダントに取付けた装飾片の揺動状態を示す正面図である。
【図１２】ペンダントに取付けた装飾片の揺動状態を示す側面図である。
【符号の説明】
１０    展示基台
１１    ハウジング
１２    支持支柱
１３    軸孔
１５    支持板
１８    底板
２２    スイッチ
２３    コンセント
２５    揺動装置
２６    駆動軸
２７    作動片
２９    ストッパー
２９ａ  軸ねじ
２９ｂ  係止ねじ
３１    載置テーブル
３２    安定板
３３    支持軸
３４    軸受部
３５    接触ピン
３６    係止突起
３７    ばね
６０    ペンダント
６２    装飾片
６３    チェーン連結部
６４    定着部
６５    台座
６６    吊下部
６８    吊下孔
７０    湾曲部
７１    係止環
７２    宝石
【図１】
2005027837.tif 000003
【図２】
2005027837.tif 000004
【図３】
2005027837.tif 000005
【図４】
2005027837.tif 000006
【図５】
2005027837.tif 000007
【図６】
2005027837.tif 000008
【図７】
2005027837.tif 000009
【図８】
2005027837.tif 000010
【図９】
2005027837.tif 000011
【図１０】
2005027837.tif 000012
【図１１】
2005027837.tif 000013
【図１２】
2005027837.tif 000014